(57)【要約】      （修正有）【課題】不快感を与えることなく、褥瘡ができそうな部位、あるいはできてしまった創部を振動によって除圧するとともに血流を促進し、活性酸素の発生を抑制することにより、より積極的に回復あるいは予防を行うことができる加振機能付きマットを提供する。【解決手段】硬質板１と弾性板２とを積層したマットに振動発生器３を備えた加振機能付きマットであって、前記振動発生器として軸心方向への移動体の動作によって振動を発生させる加振器を用い、前記加振器を前記硬質板の一端の略中央に配置するとともに、前記加振器の軸心を前記硬質板の板厚内に配置することを特徴とする加振機能付きマット。【選択図】        図１
2004290524.tif 000002
【特許請求の範囲】
【請求項１】
硬質板と弾性板とを積層したマットに振動発生器を備えた加振機能付きマットであって、前記振動発生器として軸心方向への移動体の動作によって振動を発生させる加振器を用い、前記加振器を前記硬質板の一端の略中央に配置するとともに、前記加振器の軸心を前記硬質板の板厚内に配置することを特徴とする加振機能付きマット。
【請求項２】
硬質板と弾性板とを積層したマットに振動発生器を備え、前記振動発生器によって前記硬質板を一方向に変位させる加振機能付きマットであって、前記硬質板の変位方向がベッドの床面に対して水平な方向で、当該ベッドの長手方向に対して垂直な方向となるように、前記マットを前記ベッドのマットの下に配置して用いることを特徴とする加振機能付きマット。
【請求項３】
前記振動発生器によって、第１の振幅と、前記第１の振幅より大きな第２の振幅とを含む振動を付与することを特徴とする請求項１又は請求項２に記載の加振機能付きマット。
【発明の詳細な説明】
【０００１】
【発明の属する技術分野】
本発明は、褥瘡（床擦れ）の予防、回復のために、振動を利用し、血流の促進と活性酸素の発生を抑制する加振機能付きマットに関する。
【０００２】
【従来の技術】
褥瘡は現代医学の重要課題の一つとなっている。寝たきりの人に発症し易いため、入院時の病気とは別な疾患となり、入院中に発症することも多く、入院期間が長くなる問題とともにその介護は看護師や家族に大きな負担を与えている。
褥瘡を治療するために、創部の洗浄や塗薬が一般に行われているが、創部の除圧が最も有効である。褥瘡とは、人体の一部、例えば、腰、かかと、又は肩などの血管が、ベッドとの摩擦、ズレ、圧迫などによって血流障害を起こし、その創部に鬱血が生じて起こる症状である。そのため創部に圧力がかからないようにする除圧が有効な治療である。
現在、エアーマットや突起がついた独立型のウレタンマット、その他ゼリー状のマットなど数多くの圧力分散マットが病院などで使用されている。
しかし、圧力分散によって鬱血を生じにくくする効果はあるが、積極的に血流を促進することはできない。従って、できてしまった褥瘡に対しては、何らかの処置を講じる必要がある。
この褥瘡予防の改善策として、振動による体圧の分散がある（例えば特許文献１）。
【０００３】
【特許文献１】
特開平１１−７６３１９号公報
【０００４】
【発明が解決しようとする課題】
しかし、振動によって血流促進が行われるが、人体に対して上下方向への振動は人体に対して不快感を与えてしまう。また、同時に発生する活性酸素が人体組織に悪影響を与え、瘡部の回復が遅れる原因となる。
【０００５】
そこで、本発明は、不快感を与えることなく、褥瘡ができそうな部位、あるいはできてしまった創部を振動によって除圧するとともに血流を促進し、活性酸素の発生を抑制することにより、より積極的に回復あるいは予防を行うことができる加振機能付きマットを提供することを目的とする。
【０００６】
【課題を解決するための手段】
請求項１記載の本発明の加振機能付きマットは、硬質板と弾性板とを積層したマットに振動発生器を備えた加振機能付きマットであって、前記振動発生器として軸心方向への移動体の動作によって振動を発生させる加振器を用い、前記加振器を前記硬質板の一端の略中央に配置するとともに、前記加振器の軸心を前記硬質板の板厚内に配置することを特徴とする。
請求項２記載の本発明の加振機能付きマットは、硬質板と弾性板とを積層したマットに振動発生器を備え、前記振動発生器によって前記硬質板を一方向に変位させる加振機能付きマットであって、前記硬質板の変位方向がベッドの床面に対して水平な方向で、当該ベッドの長手方向に対して垂直な方向となるように、前記マットを前記ベッドのマットの下に配置して用いることを特徴とする。
請求項３記載の本発明は、請求項１又は請求項２に記載の加振機能付きマットにおいて、前記振動発生器によって、第１の振幅と、前記第１の振幅より大きな第２の振幅とを含む振動を付与することを特徴とする。
【０００７】
【発明の実施の形態】
本発明による第１の実施の形態による加振機能付きマットは、振動発生器として軸心方向への移動体の動作によって振動を発生させる加振器を用い、加振器を硬質板の一端の略中央に配置するとともに、加振器の軸心を硬質板の板厚内に配置するものである。本実施の形態によれば、硬質板を一方向に変位させる振動を効率的に付与できる。従って、人体に不快感を与えることなく、創部および創部周囲に振動を与え、血流の促進と、活性酸素の抑制を同時に実現することができる。
本発明による第２の実施の形態による加振機能付きマットは、硬質板の変位方向がベッドの床面に対して水平な方向で、当該ベッドの長手方向に対して垂直な方向となるように、マットをベッドのマットの下に配置して用いるものである。
本実施の形態によれば、人体に不快感を与えることなく、創部および創部周囲に振動を与え、血流の促進と、活性酸素の抑制を同時に実現することができる。
本発明による第３の実施の形態は、第１又は第２の実施の形態による加振機能付きマットにおいて、振動発生器によって、第１の振幅と、第１の振幅より大きな第２の振幅とを含む振動を付与するものである。本実施の形態によれば、効果的に血流の促進と、活性酸素の抑制を同時に実現することができる。
【０００８】
【実施例】
以下、本発明の一実施例による加振機能付きマットについて図面を用いて説明する。
図１は本実施例による加振機能付きマットの斜視図、図２は同加振機能付きマットの要部側面断面図、図３は同加振機能付きマットの要部平面断面図である。
本実施例による加振機能付きマットは、硬質板１と弾性板２とを積層したマットに振動発生器３を備えている。
硬質板１は、振動を伝達するに十分な剛性を有し、平板、又は変位方向に複数の溝又は峰部を有する凹凸板から構成される。弾性板２は、硬質板１の一方の面に積層され、弾力性のある振動吸収体で構成される。例えば硬質板１としては、幅４００ｍｍ、長さ９００ｍｍ、厚さ３ｍｍのプラスチック系材料又は炭素繊維系材料が用いられる。弾性板２としては、幅４００ｍｍ、長さ９００ｍｍ、厚さ１５０ｍｍのウレタンが用いられる。
振動発生器３は、硬質板１の一端の略中央に配置するとともに、振動発生器３の軸心を硬質板１の板厚内に配置するように取り付けられている。
【０００９】
本実施例による加振機能付きマットに用いる振動発生器の構成を、図２及び図３を用いて説明する。
本実施例による振動発生器３は、軸心方向３０への移動体３１の動作によって振動を発生させる加振器を用いている。移動体３１は、コイル３２への通電によって軸心方向３０に変位する。振動発生器３は、第１の振幅と、第１の振幅より大きな第２の振幅とを含む、異なる振幅による振動を発生させる。特に、振動発生器３は、第１の振幅の間に第２の振幅を発生させ、第１の振幅と第２の振幅とを所定の間隔で繰り返し発生させるように制御している。なお、第１の振幅と第２の振幅とは必ずしも一定の周期である必要はなく、また第１の振幅と第２の振幅との間に他の大きさの振幅を含んでいてもよい。
【００１０】
以下、図４から図６を用いて本実施例による加振機能付きマットの使用状態について説明する。
図４は、本実施例による加振機能付きマットのベッドへの装着方法を示す斜視図である。
図に示すように、ベッド６０とマット５０との間に本実施例による加振機能付きマット１０を挿入する。ここで、加振機能付きマット１０は、ベッド６０の幅方向寸法より若干大きい長さを有することが好ましい。何故なら、ベッド６０の両側面に位置するフレームによって加振機能付きマット１０を保持することで、加振機能付きマット１０で発生させる振動を効率よくマット５０に伝えることができるためである。なお、加振機能付きマット１０は制御操作部４を有し、この制御操作部４は、ベッド６０の枕元付近に設置される。
図４に示すように、加振機能付きマット１０は、マット５０の一部の下面に設置される。従って、マット５０は、加振機能付きマット１０が配設された部位だけが、マット５０の床面に対して水平な方向で、マット５０の長手方向に対して垂直な方向に変位する。従って、図４のように、人体の腰部近傍に配置した場合には、腰部付近だけに、横揺れを付与することになる。
なお、図示の場合には、マット５０の略中央部分、すなわち人体の腰部付近に位置させて配置した場合を示しているが、マット５０の端部側にずらした部分、すなわち人体の背中付近や脚部付近に位置させて配置してもよい。
【００１１】
図５は、本実施例による加振機能付きマットの使用状態を示す斜視図であり、家庭や介護施設などでベッドを用いない状態を示している。
図５に示すように、必ずしもベッドを用いることなく、マット５０を床又は畳の上に配設し、加振機能付きマット１０をマット５０の下面に挿入して用いることができる。
【００１２】
図６は、本実施例による加振機能付きマットの他の使用状態を示す斜視図である。
図６に示すように、マット５０の一部を傾斜させるジャッキアップ機能を備えたベッド６０にも適用することができる。
図示のようなジャッキアップ機能を備えたベッド６０に用いる場合には、ジャッキアップしない部位に加振機能付きマット１０を挿入して用いる。
【００１３】
本実施例に示すように、加振機能付きマット１０を用いることで、人体組織に有害な活性酸素の発生を抑制することができる。
また本実施例の加振機能付きマットを用いることで、振動が伝わり患部が微振動することにより血流が促進される。また、血流の促進と活性酸素の発生が抑制されることにより、患部の治癒効果が高まる。
また、病院では金属製ベッドが多いが、弾性板２によって振動を吸収するため、振動音を吸収し、振動音を微音にすることができる。
また本実施例の加振機能付きマットは、従来のベッドにそのまま使用でき、軽量で持ち運びができるため、病院内の使いまわしや、家庭で使用することができる。
以上のように、本実施例によれば、病院や家庭で既存の体圧分散を目的とするベッドを使用しながら  エアーマットやウレタンソファーなどに微振動を与え、患部の血流の促進と活性酸素の抑制により褥瘡の治癒効果を高める。
【００１４】
【発明の効果】
本発明によれば、不快感を与えることなく、褥瘡ができそうな部位、あるいはできてしまった創部を振動による血流の促進と、活性酸素の抑制効果で、より積極的に褥瘡の回復あるいは予防を行うことができる。
【図面の簡単な説明】
【図１】本発明の一実施例による加振機能付きマットの斜視図
【図２】同加振機能付きマットの要部側面断面図
【図３】同加振機能付きマットの要部平面断面図
【図４】本実施例による加振機能付きマットのベッドへの装着方法を示す斜視図
【図５】本実施例による加振機能付きマットの使用状態を示す斜視図
【図６】本実施例による加振機能付きマットの他の使用状態を示す斜視図
【符号の説明】
１    硬質板
２    弾性板
３    振動発振器
【図１】
2004290524.tif 000003
【図２】
2004290524.tif 000004
【図３】
2004290524.tif 000005
【図４】
2004290524.tif 000006
【図５】
2004290524.tif 000007
【図６】
2004290524.tif 000008